(57)【要約】【課題】  櫛部を頭皮に繰り返し強く擦りつけても痛みを感じ難い、累積染毛に適した髪用塗布具、及びそのような髪用塗布具を具備した塗布具付き化粧料容器を提供すること。【解決手段】  櫛部材に液塗布部材が隣接して配される櫛部によって髪を梳くと共に、取り付けられる容器内の塗布液を、該液塗布部材を介して毛髪に塗布しうる髪用塗布具であって、上記の櫛部材の櫛歯の先端から０．３ｍｍまで基端寄りの位置の櫛歯断面積が０．９５ｍｍ２以上で、４．００ｍｍ２以下である。【選択図】    図１
2006102319.tif 000002
【特許請求の範囲】
【請求項１】
櫛部材に液塗布部材が隣接して配される櫛部によって髪を梳くと共に、取り付けられる容器内の塗布液を、該液塗布部材を介して毛髪に塗布しうる髪用塗布具であって、上記の櫛部材の櫛歯の先端から０．３ｍｍまで基端寄りの位置の櫛歯断面積が０．９５ｍｍ２以上で、４．００ｍｍ２以下である髪用塗布具。
【請求項２】
上記の液塗布部材は複数の液塗布部材からなり、且つ複数の液塗布部材は櫛部材と列設している請求項１記載の髪用塗布具。
【請求項３】
上記の液塗布部材は繊維束からなる請求項１記載の髪用塗布具。
【請求項４】
上記の櫛部材の櫛歯は樹脂又は金属からなり、また、液塗布部材は、繊維束芯、フェルト状物、連続気泡スポンジ状物の１つ以上から選択されるものである請求項１に記載の髪用塗布具。
【請求項５】
上記の櫛部材の櫛歯断面形状が、円形状、隣接する液塗布部材に向けて長径が沿うように位置する楕円形状、隣接する液塗布部材と対向した位置に底辺があるほぼ台形状、四辺形状、及び隣接する液塗布部材と対向した位置に辺がある三角形状の何れかの断面形状を有する請求項１〜４の何れかに記載の髪用塗布具。
【請求項６】
請求項１〜５の何れかに記載の髪用塗布具が該塗布液の容器本体に取り付けられている塗布具付き化粧料容器。
【請求項７】
上記の塗布液に有機染料を０．５質量％以上含む請求項６記載の塗布具付き化粧料容器。
【請求項８】
上記の容器内に塗布液の貯留担持体が収容され、該貯留担持体が中綿である請求項６又は７に記載の塗布具付き化粧料容器。
【請求項９】
上記の容器内と液塗布部材との間に開閉弁機構を配し、該開閉弁機構を介して容器内の塗布液を液塗布部材に供給してなる請求項６記載の塗布具付き化粧料容器。
【発明の詳細な説明】
【技術分野】
【０００１】
本発明は、髪用塗布具及びその塗布具付き化粧料容器に関するものであり、容器本体に取付られ、髪（人間、その他のペット動物等を含む毛髪）を梳きながら容器に収容した塗布液（染毛剤、整髪剤、育毛剤等）を髪に塗布するための髪用塗布具及びその塗布具付き化粧料容器に関するものである。
【背景技術】
【０００２】
従来から容器に収容した染毛剤などを、その容器に取り付けた櫛部の櫛歯間に導入して、この櫛部で髪を梳くことによって髪を染めるような髪用塗布具付き化粧料容器は、すでに知られている。
例えば、柄としての薬液の収容容器と、容器に接続される櫛体とから構成され、またその櫛体が軸部と、軸部に取付けられる複数の櫛歯とから構成され、その櫛歯に非吐出櫛歯と吐出櫛歯とを交互に突設されるものが提案されている（特許文献１を参照。）。そして、非吐出櫛歯及び吐出櫛歯は、頂部ほど幅が狭くなる略三角板状に形成され、吐出櫛歯には、薬液が吐出される吐出口が貫通形成され、吐出櫛歯の先端から吐出口までの距離は、吐出櫛歯の先端から基端（軸部）までの長さに対し５〜６０％の範囲に設定され、且つ吐出櫛歯の各間隔が４〜８ｍｍの範囲に設定されることにより、櫛歯間に保持される薬液の量を適量にするとともに、薬液の毛髪への塗布を容易かつ均一にすることができるとしている。
【０００３】
また、容器本体に取り付けられて液剤の案内通路を形成する柄部と、縦列に配置された多数の櫛歯を有する櫛部とを備え、櫛歯には柄部の案内通路に連通して歯丈方向に延びる液剤の注出通路と、注出通路の先端に連通して櫛歯の表裏を貫通する注出口とが形成された塗布用櫛付き容器が提案されている（例えば、特許文献２を参照。）。そして、このような注出口は相隣り合う櫛歯同士間でその歯丈方向の形成位置がづらされることによって、毛元の近傍から毛先に向けて広い範囲に亘ってむらなく塗布することができ、液剤の塗布作業が楽に行えるとしている。
【０００４】
また、容器本体の口縁部に取付けられる櫛付きキャップにおいて、列設された主櫛歯片に、容器内に連通して主櫛歯の側面に開口する注出口が設けられ、また、主櫛歯片の両側且つ並設してその先端が同じ高さ以上とされた副櫛歯片（開口無し。）が設けられる櫛付きキャップが提案されている（例えば、特許文献３を参照。）。
このような構成にあっては、使用者が櫛部或いは櫛体を頭皮に対してほぼ直角に維持しながら梳くことができ、頭髪を梳く際に櫛体の角度が変わることによる色むら、特に毛の根本に近い部分での色むらを防止するとしている。
【０００５】
しかしながら、これらの髪塗布用化粧料容器では、櫛体自体の注入口或いは開口から過剰な液漏れが生じ、また連通路や柄路などから均一な液供給が成されず、染髪にムラなどが生じる。そこで、容器内に貯留担持体を設け、担持体に塗布液を吸蔵しておき、櫛部に毛管作用に有する塗布用のペン芯塗布部材を櫛状に列設し、また液塗布部材に補助的に隣接、或いは並設して櫛部材（通常の櫛材）を設けた構造の髪用塗布具が提案されている（例えば、特許文献４及び特許文献５を参照。）。櫛部材の櫛歯に上述したような注出口や開口が無いため、それぞれの櫛歯間での通路におけるチャンネリングは生じない。このため、このようなペン型塗布芯を備えたものは、各櫛歯、即ち各塗布用芯に均一に液が供給されるため、染髪にムラなどが生じない。
【０００６】
しかしながら、このような従来の髪用塗布具にあっては、均一な塗布が達成されるものの、使用者が同一部位に繰り返し塗布を行うと同時に、強く部位に櫛部を擦り付ける傾向があり、頭皮を痛めたり、また痛みを感じたりする場合がある。
【特許文献１】特開２００３−０１９０２３号公報
【特許文献２】特開２００２−１５９３２５号公報
【特許文献３】特開２００２−１９１４２７号公報
【特許文献４】実開平４−６０１１６号公報
【特許文献５】実開平４−６０１１７号公報
【発明の開示】
【発明が解決しようとする課題】
【０００７】
従って、本発明の課題は、上記事情に鑑み、櫛部を頭皮に繰り返し強く擦りつけても痛みを感じ難い、一時着色及び累積染毛に適した髪用塗布具、及びそのような髪用塗布具を具備した塗布具付き化粧料容器を提供することにある。
【課題を解決するための手段】
【０００８】
本発明者等は、櫛部の構造において櫛部材と液塗布部材とを隣接して設けた構造の髪用塗布具が髪への均一な塗布に優れていること、そして、隣接した櫛部材（通常の櫛材）の櫛歯の先端から０．３ｍｍまで基端寄りの位置の櫛歯断面積が０．９５ｍｍ２以上で、４．００ｍｍ２以下であると、櫛部を頭皮に繰り返し強く擦りつけても痛みを感じ難いこと、更にこのようなことから累積染毛などに見られる同一部位の繰り返し塗布における部位の損傷を極力回避できることを見出し、本発明に至ったものである。
即ち、本発明の髪用塗布具及びその塗布具付き化粧料容器は、以下の（１）〜（９）の構成或いは手段からなることを特徴とするものである。
【０００９】
（１）．櫛部材に液塗布部材が隣接して配される櫛部によって髪を梳くと共に、取り付けられる容器内の塗布液を、該液塗布部材を介して毛髪に塗布しうる髪用塗布具であって、上記の櫛部材の櫛歯の先端から０．３ｍｍまで基端寄りの位置の櫛歯断面積が０．９５ｍｍ２以上で、４．００ｍｍ２以下である髪用塗布具。
【００１０】
（２）．上記の液塗布部材は複数のペン芯型の液塗布部材からなり、且つ複数の液塗布部材は櫛部材に列設している上記（１）記載の髪用塗布具。
（３）．上記の液塗布部材は繊維束からなる上記（１）記載の髪用塗布具。
（４）．上記の櫛部材の櫛歯は樹脂又は金属からなり、また、液塗布部材は、繊維束芯、フェルト状物、連続気泡スポンジ状物の１つ以上から選択されるものである上記（１）記載の髪用塗布具。
（５）．上記の櫛部材の櫛歯断面形状が、円形状、隣接する液塗布部材に向けて長径が沿うように位置する楕円形状、隣接する液塗布部材と対向した位置に底辺があるほぼ台形状、四辺形状、及び隣接する液塗布部材と対向した位置に辺がある三角形状の何れかの断面形状を有する上記（１）〜（４）の何れかに記載の髪用塗布具。
【００１１】
（６）．（１）〜（５）の何れかに記載の髪用塗布具が該塗布液の容器本体に取り付けられている塗布具付き化粧料容器。
（７）．上記の塗布液に有機染料を０．５質量％以上含む上記（６）記載の塗布具付き化粧料容器。
（８）．上記の容器内に塗布液の貯留担持体が収容され、該貯留担持体が中綿である上記（６）又は（７）に記載の塗布具付き化粧料容器。
（９）．上記の容器内と液塗布部材との間に開閉弁機構を配し、該開閉弁機構を介して容器内の塗布液を液塗布部材に供給してなる上記（６）記載の塗布具付き化粧料容器。
【発明の効果】
【００１２】
以上のような本発明の構成或いは手段によれば、液塗布部材、例えば、繊維束、又は多孔質体等からなるブラシ、筆、フェルト芯、又は繊維束芯は、塗布液を髪に均一に供給する。そして、隣接される櫛部材はその櫛歯の先端から０．３ｍｍまで基端寄りの位置の櫛歯断面積が０．９５ｍｍ２以上で、４．００ｍｍ２以下であるので、櫛部を頭皮に繰り返し強く擦りつけても痛みを感じることなく、また累積染毛などに見られる同一部位の繰り返し塗布におけるその部位の損傷も避けることができる。また、櫛歯断面の形状が円形状、隣接する液塗布部材に向けて長径が沿うように位置する楕円形状、隣接する液塗布部材と対向した位置に底辺があるほぼ台形状、四辺形状、及び隣接する液塗布部材と対向した位置に辺がある三角形状の何れかの断面形状を有することにより、髪梳きがスムースに、且つ塗布液を十分に供給することができる。
【発明を実施するための最良の形態】
【００１３】
以下、本発明の髪用塗布具及びその塗布具付き化粧料容器を、図面を参照しながら発明を実施するための最良の形態に基づいて詳述する。尚、本発明の髪用塗布具及びその塗布具付き化粧料容器は、以下の実施形態に限るものではない。
図１は本発明に係る髪用塗布具を具備する塗布具付き化粧料容器のキャップを外した状態の斜視図である。図２（ａ）及び（ｂ）は、本発明に係る塗布具付き化粧料容器の正面からの部分断面図及び側面からの断面図である。図３は、本発明に係る塗布具付き化粧料容器の分解斜視図である。図４（ａ）及び（ｂ）は、本発明に係る髪用塗布具に使用される櫛部材の正面図及び側面図である。図５（ａ）〜（ｆ）は本発明に係る塗布具付き化粧料容器の櫛部材の櫛歯の断面形状を示す図である。図６は、本発明に係る髪用塗布具付き化粧料容器の別の形態を示す斜視図である。図７は、開閉弁機構を設けた本発明の形態の化粧料容器の断面図である。
【００１４】
図１〜図３に示す如く、本実施形態の塗布具付き化粧料容器１の髪用塗布具、即ち櫛部３０は、櫛部材１１と、櫛部材１１に並設される板状の液塗布部材１０とからなり、その櫛部３０によって髪を梳くと共に、容器本体２内の塗布液を塗布部材１０を介して毛髪に塗布しうるものである。
【００１５】
図１〜図３に示す如く化粧料容器１において、樹脂容器本体２は筒状に成形されている。容器本体２の尾端２Ａは開口され、図３に示す貯留担持体４が容器本体２内に挿入収容される。担持体４には化粧料である塗布液が担持される。尾端２Ａの内壁にはネジが形成され、蓋部材５Ｂにもネジが形成されて両者が螺合されてその開口が密封されると共に、蓋部材５Ｂは担持体４の端部４Ａを押し付け固定している。尚、蓋部材５Ｂには意匠的な蓋部材５Ａが蓋部材５Ｂに取り付けられる。
上記の貯留担持体４としては塗布液を担持できるものである限り、その材料に制限されるものではなく、例えば、中綿等を挙げることができる。
【００１６】
容器本体２の先端２Ｂには、矩形筒状の取付孔６、差込穴７及び螺合部９が形成され、取付孔６はほぼ中央に形成される。取付孔６には板状の液塗布部材１０が挿入され、両側に設けた差込穴７には樹脂製の櫛部材１１が装着される。螺合部９は後述するキャップの螺合部に螺合される。液塗布部材１０は矩形支持部材１２を介して取付孔６内に装填され、板状の液塗布部材１０は容器本体２の軸方向に立設される。また、液塗布部材１０の尾端１０Ａは、その装填時に上述の担持体４の先端４Ｂに挿入されて連結される。
尚、矩形支持部材１２の外壁面と取付孔６の筒状の内壁面とは液密に密着しており、また、矩形支持部材１２は取付孔６から着脱可能でも、完全に固定されても良い。
【００１７】
上記の液塗布部材１０の素材はフェルト状物であるが、その他に繊維束芯、連続気泡スポンジ状物等の液塗布部材が好適である。また、上記液塗布部材は、ブラシ又は筆などの繊維束から構成されていても良い。
【００１８】
櫛部材１１は図４に示すように樹脂製の成形部材からなり、基部１３と基部１３の先端面に一定間隔をおいて設けられる複数の櫛歯１４とからなる。基部１３は上述の差込穴７に着脱可能に挿入される係合部が成形され、また櫛歯１４の先端部はＲが付けられて丸み成形される。基部１３と差込穴７との係合時、櫛部材１１は取付孔６に装填された液塗布部材１０に並設され、且つ櫛歯１４と液塗布部材１０とが並設される。かかる櫛部材１１の取付状態では、櫛歯１４の先端が液塗布部材１０の先端より突き出しいることが好ましく、図２に示すようにその突出量（Ｌ）は０．２〜３．０ｍｍの範囲にあり、特に好ましくは、０．５〜２．０ｍｍの範囲である。
かかる突出量（Ｌ）により、その使用時に頭皮等に塗布液が付着せず、頭髪の殆どがその根本から頭髪だけに塗布液を塗布することができる。上記の範囲未満の突出量では頭皮に直接液塗布部材１０が当接するおそれがあり、また、上記の範囲を超えてくると、頭髪の根本への十分な塗布が困難となってくる。
【００１９】
また、図４に示すように、上記の櫛部材１１の櫛歯１４の先端から０．３ｍｍまで基端寄りの位置Ｐの櫛歯断面積は０．９５ｍｍ２以上で、４．００ｍｍ２以下の範囲にある。より好ましい櫛歯断面積は、１．０〜２．５ｍｍ２の範囲である。上記の範囲内であれば、櫛部３０を強く頭皮に擦りつけても痛みを感じ難くなる一方、髪梳きが十分にできる。上記の範囲を超える櫛歯断面積では、髪梳きが不十分で塗布性も低下してくる。一方、上記の範囲未満の櫛歯断面積では、頭皮等の部位を痛めるおそれが生じてくる。
【００２０】
更に、本形態の櫛部材１１の櫛歯１４の断面形状は楕円形状であるが、図５（ｂ）に示すように楕円形状の場合は、隣接する液塗布部材１０に向けて長径Ｌが沿うように位置する楕円形状となっていることが好ましい。また、本発明に係る髪用塗布具の櫛部材の櫛歯断面形状にあっては通常の円形状（図５（ａ））だけでなく、特に、図５（ｃ）及び（ｄ）に示すように隣接する液塗布部材１０と対向した位置に底辺ｄがあるほぼ台形状、及び隣接する液塗布部材１０と対向した位置に辺ａがある三角形状のものが好ましい。このような断面形状の位置が上述のように決められることにより、液の塗布及び髪梳きが確実になる。また、図５（ｅ）に示すように四角形状の断面でも良く、図５（ｆ）に示すように液塗布部材１０の片側のみに櫛部材を配しても良い。
【００２１】
また、図２に示すように液塗布部材１０と櫛歯１４との間隔Ｓは非接触で且つ５．０ｍｍ以内に近接されて互いに配されてなることが好ましく、特に、０．５〜３．５ｍｍの範囲であることが好ましい。本発明ではこのような液塗布部材１０と櫛歯１４の距離を一定間隔以内に保つ必要は必ずしもないが、上記の範囲内での距離を保つことで、液が櫛部を汚すことを防ぐと共に頭髪への塗布性をより向上させることができる。
【００２２】
従って、本発明に係る髪用塗布具である櫛部３０は、容器本体２の先端部２Ａ、液塗布部材１０、矩形支持部材１２、及び基部１３及び櫛歯１４からなる櫛部材１１から構成される。
上記の櫛部３０は、上述したキャップ１５に覆われる。キャップ１５は、内キャップ１６、中キャップ１７及び外キャップ１８からなる。内キャップ１６には容器本体２の先端２Ｂの天面に当接する開口部２２が形成され、また、内キャップ１６の先端部には櫛歯１４と多孔質塗布体１０とを分かちながらこれらの先端部を保持するガイド突起が成形されたガイド孔２１が設けられる。中キャップ１７内にはコイルバネ２３が配される。
【００２３】
このように構成される塗布具付き化粧料容器１にあっては、櫛部３０の構造において液塗布部材１０を用いるので、塗布液の吐出口を櫛歯自体に直接設けるよりも、その塗布性に優れている。また、液塗布部材１０を補助する櫛歯１１において、その先端から０．３ｍｍまで基端寄りの位置の櫛歯断面積が上述したように０．９５ｍｍ２以上で、４．００ｍｍ２以下であると、櫛部３０を頭皮に繰り返し強く擦りつけても痛みを感じない。このようなことから累積染毛など、例えば、塗布液に有機染料を０．５質量％以上、特に０．５乃至１．５質量％の範囲で含むような毛髪剤を使用した場合、使用者は同一部位の繰り返し塗布を試みる傾向があるが、このときに部位の損傷を極力回避することができる。
【００２４】
また、このような多孔質塗布体１０には近接して櫛部材１１の櫛歯１４が列設されるが、かかる櫛部材の櫛歯の先端を所定範囲で突き出させることにより、塗布体からの塗布液が頭皮に直接作用しないようにすることができる。このため地肌を汚すことがない。更に、近接範囲を所定範囲内とすることにより、塗布液が櫛部材１１を汚すのを防ぐと共に、髪梳き状態が良く、十分な塗布性を確保できる。
【００２５】
上記の実施形態では、容器本体２の先端２Ｂを櫛部３０の一部として容器本体２と共に一体成形して、本発明に係る髪用塗布具を塗布具付き化粧料容器１の櫛部３０として設けたが、必ずしもこれに限ることはない。容器本体２の先端部分を着脱可能な蓋体などに形成して、髪用塗布具を化粧料容器とは別体として提供しても良い。
上記の実施形態では、櫛部材１１を樹脂製としたが、これ以外のもを使用することができる。例えば、金属、天然樹脂、その天然の櫛素材などを使用することができる。しかしながら、その厳密な寸法取りなどの点から素材は精密成形性のある樹脂及び金属であることが好ましい。
上記の実施形態では、貯留担持体４から着脱可能としたが、必要により蓋部材５Ｂを完全に取り付けて、着脱不能としても良い。
上記の実施形態では、塗布液を染毛剤としたが、これに限る必要はない。例えば、整髪剤、育毛剤、またペットその他の動物の毛艶剤等であっても良い。
【００２６】
図６は、本発明に係る塗布具付き化粧料容器の別の形態を示すものである。尚、図６で示す塗布具付き化粧料容器４０の各部材については、図１で示した化粧料容器と同一又は類似の部材に関して、同一の符号を付してその詳しい説明を省略する。
本実施形態の塗布具付き化粧料容器４０が図１の容器１と異なる点は、多孔質塗布体が複数のペン型多孔質塗布体４１からなり、これらの多孔質塗布体４１は、束ね部材４２を介して隣接する櫛歯に並設且つ列設されていることである。
図１に示した実施形態と同様に、櫛部材１３の櫛歯１４はその先端から０．３ｍｍまで基端寄りの位置の櫛歯断面積が０．９５ｍｍ２以上で、４．００ｍｍ２以下である。また、櫛歯１４の先端は、ペン型多孔質塗布体４１の先端よりも０．２〜３．０ｍｍの範囲で突き出していると共に、櫛歯１４とペン型多孔質塗布体４１とは非接触で且つ５．０ｍｍ以内に近接されて互いに配されているものである。
【００２７】
束ね部材４２で支持された多孔質塗布体４１同士の間隔は、０．４〜４．０ｍｍの範囲、特に、０．６〜２．０ｍｍの範囲が好ましい。上記の範囲未満では、髪梳き通りが悪く、抜け毛などの絡み毛も多くなる。また、上記の範囲以上では、単位質量当たりの毛髪とのペン型多孔質塗布体４１との接触性が悪くなり、塗布性が十分でない。
このような構成の塗布具付き化粧料容器４０にあっては、図１に示す化粧料容器１と同様な効果を奏する他に、多孔質塗布体４１が櫛形となっているため、決めの細かい塗布が可能である。
【００２８】
図７に示すように化粧料容器の本体５１には、ノック式の開閉弁機構、即ち液吐出機構を設けても良い。図７に示すように、容器の本体５１は矩形の筒状プラスチック成形材からなり、上部には図示しないが、本発明に係る髪用塗布具が取り付けられいる。下部には蓋部材としての移動可能なノック部材５２が取付られている。
容器の本体５１内には塗布液の貯留タンク５３が収容され、タンク５３の上部には開閉弁機構５４が設けられている。開閉弁機構５４には髪用塗布具の多孔質塗布部材と連通或いは接している通路５５が形成され、その通路部材５６は髪用塗布具側に固定されており、通路部材５６には弁部材５７が取り付けられている。また、タンク５３には弁受け部材５８が取り付けられ、弁受け５８と弁部材５７との間にはコイルバネ５９が配されている。
このような構成にあっては、ノック部材５２を本体５１に押し込むと、タンク５３及び弁受け部材５８がコイルバネ５９の付勢に抗して本体５１内を移動する。これにより、弁部材５７内に形成した通路とタンク５３内が連通して開閉弁機構５４が開放される。
従って、このような構成を有する化粧料容器にあっては、必要時にタンク５３内の塗布液を髪用塗布具の液塗布部材に供給することができる。
【産業上の利用可能性】
【００２９】
本発明の髪用塗布具及びその塗布具付き化粧料容器は、容器本体に設けた櫛部によって髪（人間、その他のペット動物等を含む髪）を梳きながら容器に収容した塗布液（染毛剤、整髪剤、育毛剤等）を髪に塗布する際に、櫛部材の櫛歯が所定形状に形成されているので、頭皮を痛めることなく。優れた塗布性を維持する産業上の利用可能性の高いものである。
【図面の簡単な説明】
【００３０】
【図１】図１は本発明に係る髪用塗布具を具備する塗布具付き化粧料容器のキャップを外した状態の斜視図である。
【図２】図２（ａ）及び（ｂ）は、本発明に係る塗布具付き化粧料容器の正面からの部分断面図及び側面からの断面図である。
【図３】図３は、本発明に係る塗布具付き化粧料容器の分解斜視図である。
【図４】図４（ａ）及び（ｂ）は、本発明に係る髪用塗布具に使用される櫛部材の正面図及び側面図である。
【図５】図５（ａ）〜（ｄ）は、本発明に係る塗布具付き化粧料容器の櫛部材の櫛歯の断面形状を示す図である。
【図６】図６は、本発明に係る髪用塗布具付き化粧料容器の別の形態を示す斜視図である。
【図７】図７は、開閉弁機構を設けた本発明の形態の化粧料容器の断面図である。
【符号の説明】
【００３１】
１      塗布具付き化粧料容器
２      容器本体
４      貯留担持体
５Ａ、５Ｂ      蓋部材
１０    液塗布部材
１１    櫛部材
１２    矩形支持部材
１４    櫛歯
１５    キャップ
【図１】
2006102319.tif 000003
【図２】
2006102319.tif 000004
【図３】
2006102319.tif 000005
【図４】
2006102319.tif 000006
【図５】
2006102319.tif 000007
【図６】
2006102319.tif 000008
【図７】
2006102319.tif 000009